(57)【要約】【課題】カウルパネルの内側にウォッシャノズルを取着する構造を有するものであり、カウルパネルに外力が作用しても、その外力によるウォッシャノズルへの悪影響を極力小さくすることができるウォッシャノズル取付構造を提供する。【解決手段】カウルパネル３のガラス側壁部１１には開口部１２が設けられ、カウルパネル３内側の凹設部１３内には装着壁部１６が設けられる。ウォッシャノズル３０の後部は開口部１２の周縁に係止されて装着される。この場合、ウォッシャノズル３０の後側係止部３４が開口部１２下縁に設けた開口側係止部１７と挿入方向に係止し、側部係止片３５に設けた係止段部３５ａが開口部１２周縁のカウルパネル３内側面と反挿入方向において係止する。これに対し、ウォッシャノズル３０の前部は、前側連結部４２が装着壁部１６の連結溝１６ａに対し隙間Ｓが設定され前後方向への移動が許容されて装着される。【選択図】      図３
2007008394.tif 000002
【特許請求の範囲】
【請求項１】
車両のフロントガラスの下部に配設されるカウルパネルに、前記フロントガラスの払拭面に向かって洗浄液を噴射するためのウォッシャノズルを取り付ける、その取付構造であって、
前記カウルパネルは、内側において上方に凹設した形状をなす凹設部を有しており、該凹設部において前記フロントガラスと対向するガラス側壁部に開口部を有するとともに、前記凹設部内に装着壁部を有し、
前記ウォッシャノズルは、前記洗浄液を噴射する噴射孔が後部に設けられその後部が前記開口部の周縁に係止されて装着され、前部が前記装着壁部に対し前後方向への移動が許容されて装着されることを特徴とするウォッシャノズル取付構造。
【請求項２】
請求項１に記載のウォッシャノズル取付構造において、
前記カウルパネルの開口部の周縁には、カウル側係止部が設けられ、
前記ウォッシャノズルには、前記カウル側係止部と係止するノズル側係止部と、該ノズル側係止部の係止状態を弾性力で保持する弾性保持片とが設けられることを特徴とするウォッシャノズル取付構造。
【請求項３】
請求項２に記載のウォッシャノズル取付構造において、
前記カウル側係止部と前記ノズル側係止部との係止は、凹凸による係止であることを特徴とするウォッシャノズル取付構造。
【請求項４】
請求項２に記載のウォッシャノズル取付構造において、
前記カウル側係止部は、第１カウル側係止部と第２カウル側係止部とを有し、
前記ノズル側係止部は、前記第１カウル側係止部に対し前後方向一方に係止する第１ノズル側係止部と前記第２カウル側係止部に対し前後方向他方に係止する第２ノズル側係止部とを有することを特徴とするウォッシャノズル取付構造。
【請求項５】
請求項２〜４のいずれか１項に記載のウォッシャノズル取付構造において、
前記ノズル側係止部は、前記弾性保持片に設けられることを特徴とするウォッシャノズル取付構造。
【請求項６】
請求項１〜５のいずれか１項に記載のウォッシャノズル取付構造において、
前記ウォッシャノズルの前部には、前側連結部が設けられ、
前記装着壁部には、前後方向に延びる長孔形状をなし前記前側連結部が嵌挿されて連結される連結溝が設けられることを特徴とするウォッシャノズル取付構造。
【請求項７】
請求項１〜５のいずれか１項に記載のウォッシャノズル取付構造において、
前記ウォッシャノズルの前部には、前後方向に延びる前側連結部が設けられ、
前記装着壁部には、前後方向に貫通し前記前側連結部が嵌挿されて連結される連結孔が設けられることを特徴とするウォッシャノズル取付構造。
【発明の詳細な説明】
【技術分野】
【０００１】
本発明は、車両のフロントガラス（ウインドシールドガラス）に洗浄液を噴射するためのウォッシャノズルを該フロントガラスの下部に配設されるカウルパネルに取り付ける、その取付構造に関するものである。
【背景技術】
【０００２】
この種のウォッシャノズル取付構造は、例えば特許文献１にて開示されている。この特許文献１では、車両のカウルパネル（文献中、カウルトップガーニッシュ）に円筒状の隆起部が設けられており、該隆起部の先端にはカウルパネルの外側からウォッシャノズルが装着されている。
【０００３】
ウォッシャノズルは、カウルパネルの内側に延びるホース装着部（文献中、ホース連結部）を有している。ホース装着部には、ウォッシャタンクから延びるホースが装着される。そして、ウォッシャポンプの作動により、ホースを通じてウォッシャタンクから洗浄液がウォッシャノズルに供給されることで、該ウォッシャノズルからフロントガラスに洗浄液が噴射されるようになっている。
【特許文献１】特開平１１−３３４５４４号公報
【発明の開示】
【発明が解決しようとする課題】
【０００４】
ところで、上記したウォッシャノズルの取付構造では、ウォッシャノズルが人目に付くカウルパネルの外側に取り付けられることから、車両の外観見栄えが悪化する。そこで、ウォッシャノズルを人目に付かないようにカウルパネルの内側に取り付ける構造が考えられている。
【０００５】
しかしながら、カウルパネルに外力が作用した際、カウルパネルが変形する。このカウルパネルの変形に伴って該カウルパネルとウォッシャノズルとの相互間の係合が解除され、ウォッシャノズルがカウルパネルから脱落する場合がある。また、カウルパネルの変形が大きい場合、ウォッシャノズルが破損することも考えられる。
【０００６】
本発明は、上記課題を解決するためになされたものであって、その目的は、カウルパネルの内側にウォッシャノズルを取着する構造を有するものであり、カウルパネルに外力が作用しても、その外力によるウォッシャノズルへの悪影響を極力小さくすることができるウォッシャノズル取付構造を提供することにある。
【課題を解決するための手段】
【０００７】
上記課題を解決するために、請求項１に記載の発明は、車両のフロントガラスの下部に配設されるカウルパネルに、前記フロントガラスの払拭面に向かって洗浄液を噴射するためのウォッシャノズルを取り付ける、その取付構造であって、前記カウルパネルは、内側において上方に凹設した形状をなす凹設部を有しており、該凹設部において前記フロントガラスと対向するガラス側壁部に開口部を有するとともに、前記凹設部内に装着壁部を有し、前記ウォッシャノズルは、前記洗浄液を噴射する噴射孔が後部に設けられその後部が前記開口部の周縁に係止されて装着され、前部が前記装着壁部に対し前後方向への移動が許容されて装着されることをその要旨とする。
【０００８】
請求項２に記載の発明は、請求項１に記載のウォッシャノズル取付構造において、前記カウルパネルの開口部の周縁には、カウル側係止部が設けられ、前記ウォッシャノズルには、前記カウル側係止部と係止するノズル側係止部と、該ノズル側係止部の係止状態を弾性力で保持する弾性保持片とが設けられることをその要旨とする。
【０００９】
請求項３に記載の発明は、請求項２に記載のウォッシャノズル取付構造において、前記カウル側係止部と前記ノズル側係止部との係止は、凹凸による係止であることをその要旨とする。
【００１０】
請求項４に記載の発明は、請求項２に記載のウォッシャノズル取付構造において、前記カウル側係止部は、第１カウル側係止部と第２カウル側係止部とを有し、前記ノズル側係止部は、前記第１カウル側係止部に対し前後方向一方に係止する第１ノズル側係止部と前記第２カウル側係止部に対し前後方向他方に係止する第２ノズル側係止部とを有することをその要旨とする。
【００１１】
請求項６に記載の発明は、請求項１〜５のいずれか１項に記載のウォッシャノズル取付構造において、前記ウォッシャノズルの前部には、前側連結部が設けられ、前記装着壁部には、前後方向に延びる長孔形状をなし前記前側連結部が嵌挿されて連結される連結溝が設けられることをその要旨とする。
【００１２】
請求項７に記載の発明は、請求項１〜５のいずれか１項に記載のウォッシャノズル取付構造において、前記ウォッシャノズルの前部には、前後方向に延びる前側連結部が設けられ、前記装着壁部には、前後方向に貫通し前記前側連結部が嵌挿されて連結される連結孔が設けられることをその要旨とする。
【００１３】
（作用）
請求項１に記載の発明によれば、カウルパネルは凹設部を有し、該凹設部を構成するガラス側壁部には開口部が設けられ、該凹設部内には装着壁部が設けられる。ウォッシャノズルは、洗浄液を噴射する噴射孔が後部に設けられその後部が開口部の周縁に係止されて装着される。これに対し、ウォッシャノズルの前部は、装着壁部に対し前後方向への移動が許容されて装着される。これにより、カウルパネルに外力が作用した際に、カウルパネルが変形して装着壁部がウォッシャノズルに近接しても、ウォッシャノズルの前部が装着壁部に対し前後方向への移動が許容されることから、その外力がウォッシャノズルに作用するのが防止される。そのため、ウォッシャノズルとカウルパネルとの相互間の係合が解除されることが防止され、ウォッシャノズルの脱落が未然に防止される。また、その外力がウォッシャノズルに作用するのが防止又は緩和されることから、ウォッシャノズルの破損が発生し難くなる。
【００１４】
請求項２に記載の発明によれば、カウルパネルの開口部の周縁にはカウル側係止部が設けられ、ウォッシャノズルにはノズル側係止部と弾性保持片とが設けられ、該ノズル側係止部がカウル側係止部と係止するとともに、弾性保持片がノズル側係止部の係止状態を弾性力で保持する。これにより、弾性保持片の弾性力によりノズル側係止部とカウル側係止部との係止状態が解除され難くなるため、ウォッシャノズルの装着がより確実となる。
【００１５】
請求項３に記載の発明によれば、カウル側係止部とノズル側係止部との係止が凹凸による係止とされるため、各係止部の形状が簡単となり、各係止部の形成が容易となる。
請求項４に記載の発明によれば、カウル側係止部及びノズル側係止部を構成する第１カウル側係止部と第１ノズル側係止部とは前後方向一方に係止し、第２カウル側係止部と第２ノズル側係止部とは前後方向他方に係止するため、ウォッシャノズルの装着がより確実となる。
【００１６】
請求項５に記載の発明によれば、ノズル側係止部は弾性保持片に一体に設けられるため、ウォッシャノズルの形状の簡素化に貢献できる。
請求項６に記載の発明によれば、ウォッシャノズルの前部には前側連結部が設けられ、装着壁部には前後方向に延びる長孔形状をなす連結溝が設けられ、該連結溝に前側連結部が嵌挿されて連結されることで、ウォッシャノズルの前部が装着壁部に対し前後方向への移動が許容された状態で装着される。これにより、ウォッシャノズルの前部を装着壁部に対し前後方向に移動を許容して装着する構造を簡単に構成することが可能である。
【００１７】
請求項７に記載の発明によれば、ウォッシャノズルの前部には前後方向に延びる前側連結部が設けられ、装着壁部には前後方向に貫通し連結孔が設けられ、該連結溝に前側連結部が嵌挿されて連結されることで、ウォッシャノズルの前部が装着壁部に対し前後方向への移動が許容された状態で装着される。これにより、ウォッシャノズルの前部を装着壁部に対し前後方向に移動を許容して装着する構造を簡単に構成することが可能である。
【発明の効果】
【００１８】
従って、本発明によれば、カウルパネルの内側にウォッシャノズルを取着する構造を有するものであり、カウルパネルに外力が作用しても、その外力によるウォッシャノズルへの悪影響を極力小さくすることができるウォッシャノズル取付構造を提供することができる。
【発明を実施するための最良の形態】
【００１９】
以下、本発明を具体化した一実施の形態を図面に従って説明する。
図１及び図２に示すように、車両のフロントガラス１の下部とボンネット２との間には、車幅方向に長い形状をなす樹脂製のカウルパネル３が配設されている。カウルパネル３には、対をなす車両用ワイパ４を駆動するためのピボット軸（図示略）が挿通されている。
【００２０】
カウルパネル３は、上方に凸となるように屈曲された凸状部１０が長手方向に連続して設けられ、該凸状部１０はフロントガラス１に対向するガラス側壁部１１を有している。ガラス側壁部１１には、カウルパネル３の長手方向（車幅方向）の所定の２箇所に、それぞれ略矩形状の開口部１２が設けられている。各開口部１２は、カウルパネル３（凸状部１０）の内側に配置されるウォッシャノズル３０からの洗浄液Ｗの噴射を可能としている。
【００２１】
カウルパネル３の凸状部１０の内側には、上方に凹設した形状をなす凹設部１３が設けられている。凹設部１３には、各開口部１２が設けられる部分において、それぞれウォッシャノズル３０を装着するためのノズル装着部１５が設けられている。
【００２２】
図３及び図４に示すように、ノズル装着部１５は、ウォッシャノズル３０の後部を支持するための前記ガラス側壁部１１と、ウォッシャノズル３０の前部を支持するための装着壁部１６とを有している。
【００２３】
ガラス側壁部１１に設けられる開口部１２の側縁には、図６に示すように、幅方向に凹む係止凹部１２ａが形成されている。また、開口部１２の下縁近傍には、上方に板状に突出する開口側係止部１７が形成されている。この開口部１２には、カウルパネル３の外側から内側にウォッシャノズル３０が挿入される。装着壁部１６は、カウルパネル３の内側面から下方に板状に延出されている。装着壁部１６には、後端から前方に向かって延びる長孔形状の連結溝１６ａを有している。
【００２４】
図３〜図５に示すように、ウォッシャノズル３０は、樹脂製であって略直方体形状に形成されている。尚、ウォッシャノズル３０は、前記開口部１２側に装着されるのを後部とし、前記装着壁部１６に装着されるのを前部とする。ウォッシャノズル３０は、その前部が車両前方側に、後部が車両後方側に向けて装着される。
【００２５】
ウォッシャノズル３０の後部から説明すると、ウォッシャノズル３０の後面中央には、矩形状に開口するチップ嵌挿孔３１が形成されている。チップ嵌挿孔３１は、ウォッシャノズル３０の前側に延びている。チップ嵌挿孔３１には、略直方体形状をなすノズルチップ（流体素子）３２が着脱可能に装着される。
【００２６】
ノズルチップ３２は、後端部（チップ嵌挿孔３１の開口側）に洗浄液Ｗを噴射する噴射孔３３が形成されている。ノズルチップ３２は、噴射孔３３に通じる主流路（図示略）と、該主流路の下流側から上流側に連通されるフィードバック流路（図示略）とを有し、洗浄液Ｗをフィードバック流路を介して主流路に戻すことで該主流路内の洗浄液Ｗを自励発振させ、噴射孔３３からフロントガラス１の払拭面１ａに対する洗浄液Ｗの噴射を拡散噴射とするものである（図１参照）。このようなノズルチップ３２は例えば車種毎に設けられ、ウォッシャノズル３０のボディを複数の車種間で共用可能としている。
【００２７】
ウォッシャノズル３０の後部下面には、凸状の後側係止部３４が形成されている。後側係止部３４は、前記開口部１２下縁に設けた開口側係止部１７と挿入方向に係止する。
また、ウォッシャノズル３０の両側部には、前後方向の略中央位置から後部に向けて延びる側部係止片３５がそれぞれ設けられている。側部係止片３５は、幅方向に弾性を有しており、先端部寄りに幅方向外側に突出する係止段部３５ａを有している。このような側部係止片３５は、前記開口部１２に設けた係止凹部１２ａに嵌挿されるとともに、係止段部３５ａが該係止凹部１２ａ周縁のカウルパネル３内側面に係止する。
【００２８】
つまり、この係止段部３５ａが係止凹部１２ａ周縁のカウルパネル３内側面と反挿入方向において係止し、前記後側係止部３４が開口部１２下縁に設けた開口側係止部１７と挿入方向に係止することで、ウォッシャノズル３０が前後方向に移動規制された状態で装着される。また、側部係止片３５が開口部１２の係止凹部１２ａに嵌挿されることにより、ウォッシャノズル３０が上下方向にも移動規制された状態で装着される。
【００２９】
因みに、ウォッシャノズル３０は開口部１２からカウルパネル３内部に挿入されるが、その挿入の際、側部係止片３５が開口部１２の係止凹部１２ａ内に嵌め込まれた状態で挿入される。このとき、側部係止片３５はその係止段部３５ａが開口部１２を通過するまで内側に撓み、該係止段部３５ａが開口部１２より内部に位置した時点で外側に弾性復帰して、該係止段部３５ａが係止凹部１２ａ周縁のカウルパネル３内側面と反挿入方向に係止するようになっている。そして、側部係止片３５は自身の弾性力にて、係止段部３５ａと係止凹部１２ａ周縁のカウルパネル３内側面との係止状態を保持する。
【００３０】
一方、ウォッシャノズル３０の前部下面における幅方向中央には、該ウォッシャノズル３０の前方斜め下方に向けて円筒状に延びるホース装着部４０が設けられている。ホース装着部４０には、車両に搭載されるウォッシャタンク（図示略）から延びるゴム製のホース４１が装着される（図２参照）。ホース装着部４０内の流路は、前記ノズルチップ３２の主流路の基端部（噴射孔３３と反対側）に繋がっている。そして、ウォッシャポンプ（図示略）の作動により、ホース４１を通じてウォッシャタンクから洗浄液Ｗがウォッシャノズル３０（ノズルチップ３２）に供給されることで、該ウォッシャノズル３０の噴射孔３３から払拭面１ａに対して洗浄液Ｗの拡散噴射がなされる。
【００３１】
ウォッシャノズル３０のホース装着部４０の上部（幅方向中央）には、前側連結部４２が前方に向けて突出形成されている。前側連結部４２は、先端部において幅方向両側に延びる突起４２ａを有している。前側連結部４２は、その先端部から前記装着壁部１６に設けた連結溝１６ａに嵌挿される。前側連結部４２は連結溝１６ａに嵌挿されると上下方向の移動が規制され、これによりウォッシャノズル３０が上下方向に移動規制された状態で装着される。
【００３２】
ここで、ウォッシャノズル３０の後部がカウルパネル３に装着された状態（カウルパネル３に対し係止段部３５ａと後側係止部３４とで前後方向に係止した状態）では、前側連結部４２の先端部と連結溝１６ａと水平方向において隙間Ｓが設定されている。つまり、この隙間Ｓにより、ウォッシャノズル３０の前側連結部４２は装着壁部１６に対して前後方向に移動が許容されて装着される。
【００３３】
これにより、カウルパネル３（ノズル装着部１５）に外力が作用した際に、カウルパネル３が変形して装着壁部１６がウォッシャノズル３０に近接しても、隙間Ｓだけウォッシャノズル３０に外力が作用するのが防止される。そのため、ウォッシャノズル３０とカウルパネル３との相互間の係合が解除されることが防止され、ウォッシャノズル３０の脱落が未然に防止される。また、隙間Ｓだけウォッシャノズル３０に外力が作用するのが防止されることから、ウォッシャノズル３０の破損が発生し難くなっている。
【００３４】
次に、本実施の形態の特徴的な作用効果を記載する。
（１）カウルパネル３のガラス側壁部１１には開口部１２が設けられ、カウルパネル３内側の凹設部１３内には装着壁部１６が設けられている。ウォッシャノズル３０は、洗浄液Ｗを噴射する噴射孔３３が後部に設けられその後部が開口部１２の周縁に係止されて装着される。この場合、ウォッシャノズル３０の後側係止部３４が開口部１２下縁に設けた開口側係止部１７と挿入方向に係止し、側部係止片３５に設けた係止段部３５ａが開口部１２（係止凹部１２ａ）周縁のカウルパネル３内側面と反挿入方向において係止する。これに対し、ウォッシャノズル３０の前部は、前側連結部４２が装着壁部１６の連結溝１６ａに対し隙間Ｓが設定され前後方向への移動が許容されて装着されている。これにより、カウルパネル３に外力が作用した際に、カウルパネル３が変形して装着壁部１６がウォッシャノズル３０に近接しても、ウォッシャノズル３０の前部が装着壁部１６に対し前後方向への移動が許容されることから、その外力がウォッシャノズル３０に作用するのが防止される。そのため、ウォッシャノズル３０とカウルパネル３との相互間の係合が解除されることを防止でき、ウォッシャノズル３０の脱落を未然に防止することができる。また、その外力がウォッシャノズル３０に作用するのが防止されることから、ウォッシャノズル３０の破損の発生を抑制することができる。
【００３５】
（２）カウルパネル３の開口部１２の周縁には係止凹部１２ａ及び開口側係止部１７が設けられ、ウォッシャノズル３０にはそれに対応して側部係止片３５及び後側係止部３４が設けられている。このカウルパネル３は開口部１２からカウルパネル３内部に挿入されて装着されるが、その後側係止部３４が開口側係止部１７に挿入方向に係止し、側部係止片３５に設けた係止段部３５ａが係止凹部１２ａ周縁のカウルパネル３内側面に反挿入方向に係止する。また、側部係止片３５は自身の弾性力にて、係止段部３５ａの係止状態を保持する。これにより、側部係止片３５の弾性力により係止段部３５ａの係止状態が解除され難くなるため、ウォッシャノズル３０の装着をより確実とすることができる。
【００３６】
（３）後側係止部３４が開口側係止部１７に挿入方向（前後方向一方）に係止し、側部係止片３５に設けた係止段部３５ａが係止凹部１２ａ周縁のカウルパネル３内側面に反挿入方向（前後方向他方）に係止するため、これによってもウォッシャノズル３０の装着をより確実とすることができる。
【００３７】
（４）側部係止片３５にカウルパネル３との係止を図る係止段部３５ａを一体に設けているため、ウォッシャノズル３０の形状の簡素化することができる。
（５）ウォッシャノズル３０の前部には前側連結部４２が設けられ、装着壁部１６には前後方向に延びる長孔形状をなす連結溝１６ａが設けられ、該連結溝１６ａに前側連結部４２が嵌挿されて連結されることで、ウォッシャノズル３０の前部を装着壁部１６に対し前後方向への移動が許容された状態で装着させている。これにより、ウォッシャノズル３０の前部を装着壁部１６に対し前後方向に移動を許容して装着する構造を簡単に構成することができる。
【００３８】
尚、本発明の実施の形態は、以下のように変更してもよい。
・上記実施の形態のウォッシャノズル３０の取付構造に代えて、例えば図７〜図１１に示すように変更してもよい。
【００３９】
図７に示すように、上記実施の形態でウォッシャノズル３０の両側部にそれぞれ側部係止片３５を設けていたものを、ウォッシャノズル３０の一方の側部にのみ側部係止片３５を設けてもよい。
【００４０】
また上記実施の形態では、ウォッシャノズル３０の後部下面に後側係止部３４を設け、開口側係止部１７とウォッシャノズル３０の挿入方向において係止させていたものを、同図７に示すように、ウォッシャノズル３０の他方の側部に側部係止部３６を設け、開口部１２周縁とウォッシャノズル３０の挿入方向において係止させてもよい。
【００４１】
また上記実施の形態では、ウォッシャノズル３０の前側連結部４２を装着壁部１６に設けた前後方向に延びる連結溝１６ａに嵌挿させて、ウォッシャノズル３０の前部を前後方向に移動を許容した状態で装着壁部１６に装着させていた。これを、同図７に示すように、前側連結部４３を前方に延びる棒状とし、カウルパネル３内にその前側連結部４３と対向するように装着壁部１８を設け、該装着壁部１８に前側連結部４３が前後方向に嵌挿される連結孔１８ａを貫通形成してもよい。これによっても、ウォッシャノズル３０の前部を装着壁部１８に対し前後方向に移動を許容して装着する構造とでき、簡単に構成することができる。
【００４２】
また上記実施の形態では、後側係止部３４を開口側係止部１７に前後方向一方に係止させ、側部係止片３５に設けた係止段部３５ａを係止凹部１２ａ周縁のカウルパネル３内側面に前後方向他方に係止させて、ウォッシャノズル３０を装着させていた。これを、図８及び図９に示すように、開口部１２下縁に前方に延びる開口側係止片１９を設け、該係止片１９の下面に係止孔１９ａを形成する。また、ウォッシャノズル３０の後部下面に開口側係止片１９を上下方向に挟持する後側係止片３７を設け、該後側係止片３７の上面に係止突起３７ａを形成する。そして、係止孔１９ａに係止突起３７ａを係止させて後側係止片３７が開口側係止片１９を上下方向に挟持することで、ウォッシャノズル３０の後部が開口側係止片１９に装着される。因みに、後側係止片３７は自身の弾性力にて係止突起３７ａの係止状態を保持するようになっている。このように係止孔１９ａと係止突起３７ａとの凹凸で相互間を係止する構成とすれば、開口側係止片１９や後側係止片３７の形状が簡単となり、これら開口側係止片１９や後側係止片３７の形成を容易とすることができる。
【００４３】
また、ウォッシャノズル３０の前部を装着壁部１８に対し前後方向に移動を許容して装着する構造を、図８及び図９に示すようにしてもよい。即ち、ウォッシャノズル３０の前部寄りの両側部に前側連結部４４を設けるとともに、カウルパネル３内にそれら前側連結部４４とそれぞれ対向するように装着壁部２０を設ける。この装着壁部２０に対し、下端から上方に延び開口部１２中央と同じ高さになった時点から後方に屈曲する案内溝２０ａを設けるとともに、該案内溝２０ａと連続するように更に後方に延びる長孔形状の連結溝２０ｂを形成する。そして、ウォッシャノズル３０の前側連結部４４を案内溝２０ａに挿入し該案内溝２０ａに沿って連結溝２０ｂまで移動させ、前側連結部４４を連結溝２０ｂに連結させる。つまり、図８及び図９に示す形態は、ウォッシャノズル３０をカウルパネル３の下方から装着するタイプとなっている。因みに、案内溝２０ａの溝幅は前側連結部４４の径より小さく設定されており、連結溝２０ｂの溝幅は前側連結部４４の径と同等に設定される。また、前側連結部４４を連結溝２０ｂに挿入するまでに、上記したウォッシャノズル３０の後側係止片３７の装着を行う。そして、ウォッシャノズル３０の後側係止片３７が装着されると、前側連結部４４の前方と連結溝２０ｂの内周面との間に隙間Ｓが生じるようになっており、この隙間Ｓによりウォッシャノズル３０の前部を装着壁部２０に対し前後方向に移動を許容して装着する構造となっている。
【００４４】
また、ウォッシャノズル３０の前部を装着壁部１８に対し前後方向に移動を許容して装着する構造を、図１０及び図１１に示すようにしてもよい。即ち、ウォッシャノズル３０の前側上面から前方に延びる前側連結部４５を設け、カウルパネル３内にその前側連結部４５と対向するように装着壁部２１を設ける。この装着壁部２１に対し、下端から上方に延びる案内溝２１ａを設けるとともに、該案内溝２１ａと連続するように前後方向に貫通する連結孔２１ｂを形成する。そして、ウォッシャノズル３０の前側連結部４５を案内溝２１ａに挿入し該案内溝２１ａに沿って連結孔２１ｂまで移動させ、前側連結部４５を連結孔２１ｂに連結させる。つまり、同図１０及び図１１に示す形態においても、ウォッシャノズル３０をカウルパネル３の下方から装着するタイプとなっている。因みに、案内溝２１ａの溝幅は前側連結部４５の径より小さく設定されており、連結孔２１ｂの径は前側連結部４５の径と同等に設定される。このように前側連結部４５が連結孔２１ｂに前後方向に嵌挿されることにより、ウォッシャノズル３０の前部を装着壁部２１に対し前後方向に移動を許容して装着する構造となっている。尚、同図１０及び図１１に示す形態では、前側連結部４５を連結孔２１ｂに挿入した後に、ウォッシャノズル３０を後方にスライドさせてウォッシャノズル３０の後側係止片３７の装着を行う。
【００４５】
・上記実施の形態では、拡散噴射を行うためのノズルチップ３２を内装したウォッシャノズル３０を用いたが、ノズルチップ３２を用いずウォッシャノズル自体に噴射孔を有するものを用いてもよい。
【図面の簡単な説明】
【００４６】
【図１】本実施の形態におけるウォッシャノズル装着カウルパネルを備えた車両の斜視図である。
【図２】ウォッシャノズル装着部分のカウルパネル及びその周囲の側断面図である。
【図３】ウォッシャノズル装着部分のカウルパネルの側断面図である。
【図４】ウォッシャノズル装着部分のカウルパネルの平断面図である。
【図５】ウォッシャノズルの前側上方から見た斜視図である。
【図６】カウルパネルの開口部の後側上方から見た斜視図である。
【図７】別例におけるウォッシャノズル装着部分のカウルパネルの平断面図である。
【図８】別例におけるウォッシャノズル装着部分のカウルパネルの側断面図である。
【図９】別例におけるカウルパネルのノズル装着部の側断面図である。
【図１０】別例におけるウォッシャノズル装着部分のカウルパネルの側断面図である。
【図１１】別例におけるカウルパネルの装着壁部の斜視図である。
【符号の説明】
【００４７】
１…フロントガラス、１ａ…払拭面、３…カウルパネル、１１…ガラス側壁部、１２…開口部、１２ａ…カウル側係止部及び第２カウル側係止部としての係止凹部（係止凹部周縁）、１３…凹設部、１６…装着壁部、１６ａ…連結溝、１７…カウル側係止部及び第１カウル側係止部としての開口側係止部、１８…装着壁部、１８ａ…連結孔、１９…カウル側係止部としての開口側係止片、２０…装着壁部、２０ｂ…連結溝、２１…装着壁部、２１ｂ…連結孔、３０…ウォッシャノズル、３３…噴射孔、３４…ノズル側係止部及び第１ノズル側係止部としての後側係止部、３５…弾性保持片としての側部係止片、３５ａ…ノズル側係止部及び第２ノズル側係止部としての係止段部、３６…ノズル側係止部及び第１ノズル側係止部としての側部係止部、３７…ノズル側係止部及び弾性保持片としての後側係止片、４２…前側連結部、４３…前側連結部、４４…前側連結部、４５…前側連結部、Ｗ…洗浄液。
【図１】
2007008394.tif 000003
【図２】
2007008394.tif 000004
【図３】
2007008394.tif 000005
【図４】
2007008394.tif 000006
【図５】
2007008394.tif 000007
【図６】
2007008394.tif 000008
【図７】
2007008394.tif 000009
【図８】
2007008394.tif 000010
【図９】
2007008394.tif 000011
【図１０】
2007008394.tif 000012
【図１１】
2007008394.tif 000013